(57)【要約】【課題】簡易な構成で、同一波長の光ビームを用いる複数種類の光ディスクに対応した光ピックアップを実現する。【解決手段】使用する光ディスク１００の種別に応じて、アクティブ回折素子４２を非回折状態又は回折状態とすることにより、光ビームを当該光ディスク１００の種別に応じた第１の対物レンズ２８Ａ又は第２の対物レンズ２８Ｂに選択的に導光することができる。【選択図】        図３
2008090979.tif 000002
【特許請求の範囲】
【請求項１】
光ビームを出射する光源と、
回折格子とカバー板との間に液晶が封入され、当該液晶に対する印加電圧に応じて、上記光ビームを回折させる回折状態と、上記光ビームを回折せずに透過する非回折状態とを切り替えるアクティブ回折素子と、
上記アクティブ回折素子を透過した上記光ビームを集光して第１の光ディスクに照射する第1の対物レンズと、
上記アクティブ回折素子で回折された上記光ビームを集光して第２の光ディスクに照射する第２の対物レンズと、
上記第１又は第２の光ディスクによって反射された上記光ビームを受光する受光部と
を具えることを特徴とする光ピックアップ。
【請求項２】
上記アクティブ回折素子が２枚重ねて設けられ、上記回折状態において当該２枚のアクティブ回折素子それぞれにおける上記液晶の配列方向を異ならせることにより、いかなる方向の偏光を有する上記光ビームに対しても当該光ビームを回折する
ことを特徴とする請求項１に記載の光ピックアップ。
【請求項３】
上記アクティブ回折素子で回折された上記光ビームをさらに回折させることにより、当該光ビームを上記第２の光ディスクに導く導光手段
を具えることを特徴とする請求項１に記載の光ピックアップ。
【請求項４】
上記アクティブ回折素子で回折された上記光ビームを反射することにより、当該光ビームを上記第２の光ディスクに導く導光手段
を具えることを特徴とする請求項１に記載の光ピックアップ。
【請求項５】
光ビームを出射する光源と、
回折格子とカバー板との間に液晶が封入され、当該液晶に対する印加電圧に応じて、上記光ビームを回折させる回折状態と、上記光ビームを回折せずに透過する非回折状態とを切り替えるアクティブ回折素子と、
上記アクティブ回折素子を透過した上記光ビームを集光して第１の光ディスクに照射する第1の対物レンズと、
上記アクティブ回折素子で回折された上記光ビームを集光して第２の光ディスクに照射する第２の対物レンズと、
上記第１又は第２の光ディスクによって反射された上記光ビームを受光する受光部と
を具えることを特徴とする光ディスク装置。
【発明の詳細な説明】
【技術分野】
【０００１】
本発明は光ピックアップ及び光ディスク装置に関し、例えば複数種類の光ディスクに対応した光ピックアップに適用して好適なものである。
【背景技術】
【０００２】
近年、波長が４０５[nm]の青色レーザを用いたブルーレイディスク（登録商標、以下ＢＤとも呼ぶ）が実用化されている。ブルーレイディスクは従来の光ディスクに比べて格段に短い波長のレーザを用いていることから、同じディスク径でなるＤＶＤの数倍の記録容量を有している。そして、従来のＣＤ（Compact Disk）やＤＶＤ（Digital Versatile Disk）と共にこのブルーレイディスクも使用できるようになされた３波長対応の光ディスクドライブも提案されている（例えば、特許文献１参照）。
【０００３】
上述したようにブルーレイディスク用のレーザ光は波長が４０５[nm]であり、ＣＤ用やＤＶＤ用のレーザ光とはその波長が大きく異なるため、これら３波長共用の対物レンズを設計することは困難である。
【０００４】
図１は３波長対応の光ピックアップ１を示し、ＣＤ／ＤＶＤ用レーザダイオード２及びＢＤ用レーザダイオード３の２つのレーザ光源を有しているとともに、ＣＤ／ＤＶＤ用対物レンズ４及びＢＤ用対物レンズ５の２つの対物レンズを有している。
【０００５】
装着された光ディスク１００がＣＤ又はＤＶＤである場合、光ピックアップ１はＣＤ／ＤＶＤ用レーザダイオード２から、ＣＤ対応の波長７８０[nm]の赤外レーザ光又はＤＶＤ対応の波長６５０[nm]の赤色レーザ光でなる第１の光ビームを出射し、これを光路合成ビームスプリッタ６に入射する。光路合成ビームスプリッタ６の反射面６Ａは、ＣＤ／ＤＶＤ用レーザダイオード２からの第１の光ビームをその波長若しくは偏光方向に基づいて透過し、光路分離ビームスプリッタ７に入射する。
【０００６】
光路分離ビームスプリッタ７の偏光反射面７Ａは、ＣＤ／ＤＶＤ用レーザダイオード２からの第１の光ビームをその偏光方向に基づいて透過しコリメータレンズ８に入射する。コリメータレンズ８は第１の光ビームを平行光線に変換し、１／４波長板９によって直線偏光から円偏光へと変換してＣＤ／ＤＶＤ用対物レンズ４に入射する。
【０００７】
ＣＤ／ＤＶＤ用対物レンズ４は、第１の光ビームを集光して光ディスク１００の記録面に照射するとともに、当該記録面で反射された第１の反射光ビームを受光し、１／４波長板９によって往路とは９０°異なる偏光方向を有する直線偏光へと変換した後、コリメータレンズ８を介して光路分離ビームスプリッタ７に再入射する。
【０００８】
光路分離ビームスプリッタ７の偏光反射面７Ａは、第１の反射光ビームをその偏光方向に基づいて反射し、集光レンズ１０を介して光検出器１１に照射する。そして光検出器１１は、第１の反射光ビームの光量に応じて再生信号やエラー信号等の各種検出信号を生成し、光ディスク装置の信号処理回路に出力する。
【０００９】
一方、装着された光ディスク１００がブルーレイディスクである場合、光ピックアップ１はＢＤ用レーザダイオード３から、ＢＤ対応の波長４０５[nm]の青色レーザ光でなる第２の光ビームを出射し、これを光路合成ビームスプリッタ６に入射する。光路合成ビームスプリッタ６の反射面６Ａは、ＢＤ用レーザダイオード３からの第２の光ビームをその波長若しくは偏光方向に基づいて反射し、上述した第１の光ビームと同一の光路を介して光路分離ビームスプリッタ７に入射する。
【００１０】
光路分離ビームスプリッタ７の偏光反射面７Ａは、ＢＤ用レーザダイオード３からの第２の光ビームをその偏光方向に基づいて反射し、反射面７Ｂを介してコリメータレンズ１２に入射する。コリメータレンズ１２は第２の光ビームを平行光線に変換し、１／４波長板１３によって直線偏光から円偏光へと変換してＢＤ用対物レンズ５に入射する。
【００１１】
ＢＤ用対物レンズ５は、第２の光ビームを集光して光ディスク１００の記録面に照射するとともに、当該記録面で反射された第２の反射光ビームを受光し、１／４波長板１３によって往路とは９０°異なる偏光方向を有する直線偏光へと変換した後、コリメータレンズ１２を介して光路分離ビームスプリッタ７に再入射する。
【００１２】
光路分離ビームスプリッタ７の偏光反射面７Ａは、反射面７Ｂを介して入射する第２の反射光ビームをその偏光方向に基づいて透過し、上述した第１の反射光ビームと同一の光路を介して光検出器１１に照射する。そして光検出器１１は、第２の反射光ビームの光量に応じて各種検出信号を生成し、光ディスク装置の信号処理回路に出力する。
【特許文献１】特開２００６−１３４４７４公報
【発明の開示】
【発明が解決しようとする課題】
【００１３】
ところで、青色レーザを用いる大容量の光ディスクとしては、上述したブルーレイディスクの他にもＨＤ−ＤＶＤと呼ばれる規格が実用化されている。このＨＤ−ＤＶＤは、ブルーレイディスクと同じ波長（４０５[nm]）のレーザ光を用いるものの、ディスクのカバー層の厚さや対物レンズの開口数に相違があるため、ブルーレイディスク及びＨＤ−ＤＶＤ共用の対物レンズを設計することは困難である。
【００１４】
従って、ブルーレイディスク及びＨＤ−ＤＶＤの双方に対応する光ピックアップには、ブルーレイディスク専用の対物レンズ及びＨＤ−ＤＶＤ専用の対物レンズを設ける必要がある。一方、上述したようにブルーレイディスク用のレーザ光及びＨＤ−ＤＶＤ用のレーザ光はどちらも波長４０５[nm]の青色レーザ光であるから、これら２つのレーザ光を共通のレーザ光源から出射するようにすれば、光ピックアップを簡素化及び小型化でき、さらには低コスト化できると考えられる。
【００１５】
ところが、このような構成の光ピックアップでは、単一のレーザ光源から出射される同波長のレーザ光を、用途に応じてブルーレイディスク専用の対物レンズ又はＨＤ−ＤＶＤ専用の対物レンズに切り替えて入射させる必要がある。
【００１６】
本発明は以上の点を考慮してなされたもので、簡易な構成で、同一波長の光ビームを用いる複数種類の光ディスクに対応した光ピックアップ及び光ディスクドライブを提案しようとするものである。
【課題を解決するための手段】
【００１７】
かかる課題を解決するため本発明においては、光ビームを出射する光源と、回折格子とカバー板との間に液晶が封入され、当該液晶に対する印加電圧に応じて、光ビームを回折させる回折状態と、光ビームを回折せずに透過する非回折状態とを切り替えるアクティブ回折素子と、アクティブ回折素子を透過した光ビームを集光して第１の光ディスクに照射する第1の対物レンズと、アクティブ回折素子で回折された光ビームを集光して第２の光ディスクに照射する第２の対物レンズと、第１又は第２の光ディスクによって反射された上記光ビームを受光する受光部とを光ピックアップに設けた。
【００１８】
使用する光ディスクの種別に応じてアクティブ回折素子を非回折状態又は回折状態とすることにより、光ビームを当該光ディスクの種別に応じた第１又は第２の対物レンズに選択的に導光することができる。
【発明の効果】
【００１９】
本発明によれば、使用する光ディスクの種別に応じてアクティブ回折素子を非回折状態又は回折状態とすることにより、光ビームを当該光ディスクの種別に応じた第１又は第２の対物レンズに選択的に導光することができ、かくして、簡易な構成で同一波長の光ビームを用いる複数種類の光ディスクに対応した光ピックアップ及び光ディスクドライブを実現することができる。
【発明を実施するための最良の形態】
【００２０】
以下、図面について、本発明の一実施の形態を詳述する。
【００２１】
（１）光ディスク装置の全体構成
図２において、２０は本発明を適用した光ディスク装置を示し、ブルーレイディスク及びＨＤ−ＤＶＤの２方式の光ディスク１００を再生し得るようになされている。
【００２２】
この光ディスク装置２０は、制御部２１によって全体を統括制御するようになされており、光ディスク１００が装填された状態で、図示しない外部機器からの再生指示等を受け付けると、当該制御部２１から駆動部２２及び信号処理部２３を制御することにより、当該光ディスク１００に記録された情報を読み出すようになされている。
【００２３】
実際上、駆動部２２は制御部２１の制御に基づき、スピンドルモータ２４により光ディスク１００を所望の回転速度で回転させ、スレッドモータ２５により光ピックアップ２６を光ディスク１００の径方向であるトラッキング方向へ大きく移動させ、さらに２軸アクチュエータ２７により対物レンズユニット２８を光ディスク１００に対して近接又は離隔させる方向であるフォーカス方向及びトラッキング方向の２方向へそれぞれ細かく移動させる。
【００２４】
これと並行して信号処理部２３は、光ピックアップ２６により対物レンズユニット２８から光ビームを光ディスク１００の所望トラックに対して照射させ、その反射光の検出結果を基に再生信号を生成し、制御部２１を介してこの再生信号を図示しない外部機器へ送出させる。
【００２５】
このとき光ピックアップ２６は、装着された光ディスク１００の種別に応じた対物レンズ２８Ａ又は２８Ｂ（図３）を用いて出射光ビームを集光し、当該光ディスク１００の記録層に焦点を合致させて照射するとともに、当該合焦記録層で反射された反射光ビームを対物レンズで受光して光電変換し、各種検出信号を生成して信号処理部２３に供給する。
【００２６】
駆動部２２は、信号処理部２３から供給されるフォーカスエラー信号やトラッキングエラー信号に基づいて２軸アクチュエータ２７を駆動する。また信号処理部２３は、光ピックアップ２６から供給される再生信号に対して所定の信号処理を施した後、制御部２１を介して外部に出力する。
【００２７】
（２）光ピックアップの構成
図３に示すように光ピックアップ２６は、光ビームの光源として、ブルーレイディスク用及びＨＤ−ＤＶＤ用に共通の波長４０５[nm]でなるレーザ光を出射するレーザダイオード３０を有している。
【００２８】
ビームスプリッタ３１は、レーザダイオード３０から出射された光ビームをその偏光方向に応じて偏光反射面３１Ａで反射し、コリメータレンズ３２に入射する。コリメータレンズ３２はビームスプリッタ３１からの光ビームを平行光に変換し、１／４波長板３３に入射する。１／４波長板３３は、コリメータレンズ３２からの光ビームを直線偏光から円偏光へと変換し、本発明の特徴である光路切替素子４０に入射する。
【００２９】
この光路切替素子４０は、略正方形状のプリズム４１における１側面に、アクティブ回折素子４２が２枚重ねられた状態で貼り付けられているとともに、これと隣接する底面には、導光手段としての反射型回折素子４３が貼り付けられて構成されている。
【００３０】
図４（Ａ）はアクティブ回折素子４２の構成を示しており、ブレーズ型の回折格子４２Ａと、カバー板４２Ｂとの間に液晶４２Ｃを封入して構成されている。そして、回折格子４２Ａ及びカバー板４２Ｂにおける液晶４２Ｃ側の面には図示しない透明電極が設けられており、これら２つの透明電極間に電圧を加えることにより液晶４２Ｃに電圧を印加して、液晶分子の配列方向を制御し得るようになされている。そして、光ディスク装置２０の駆動部２２は制御部２１の制御に応じて、２枚のアクティブ回折素子４２に対し独立して印加電圧を加えるようになされている。
【００３１】
液晶４２Ｃは屈折率異方性を有しており、光が液晶分子に入射する向きに応じて屈折率が異なる。図４（Ｂ）に示すように、液晶分子の屈折率楕円体の長軸方向の屈折率をｎ０とし、短軸方向の屈折率をｎ１とするととともに、回折格子４２Ａの屈折率をｎ１とする。
【００３２】
図５（Ａ）に示すように、２枚のアクティブ回折素子４２双方について、液晶分子の屈折率楕円体の長軸が当該アクティブ回折素子４２の面方向（すなわち光ビームの入射方向）に対して垂直に配列するように電圧を印加した場合、液晶４２Ｃの屈折率は、いかなる偏光方向の入射光に対してもｎ１となる。この状態においては、液晶４２Ｃの屈折率と回折格子４２Ａの屈折率は共にｎ１で等しくなり、これによりアクティブ回折素子４２は、入射光に対して回折格子４２Ａが作用せず、回折を生じることなく入射光をそのまま透過する非回折状態となる。
【００３３】
これに対して図５（Ｂ）に示すように、２枚のアクティブ回折素子４２の一方について、液晶分子の屈折率楕円体の長軸が回折格子４２Ａの溝方向と平行に配列するよう電圧を印加するとともに、他方については、液晶分子の屈折率楕円体の長軸が回折格子４２Ａの溝方向と直角に配列するよう電圧を印加した場合、液晶４２Ｃの屈折率は入射光の偏光に対して異方的になり、液晶４２Ｃの屈折率と回折格子４２Ａの屈折率が異なる方向の偏光に対して当該回折格子４２Ａが作用して回折を生じる。そして、２枚のアクティブ回折素子４２双方の液晶分子が直交するように配列することにより、いかなる偏光方向の入射光に対しても回折を生じさせることができる。
【００３４】
装着された光ディスク１００がブルーレイディスクである場合、制御部２１は、２枚のアクティブ回折素子４２の液晶分子配列が図５（Ａ）に示した状態になるよう制御する。この状態においては、上述したようにあらゆる偏光方向の入射光に対して回折格子４２Ａは作用せず、これによりレーザダイオードからの光ビームは当該回折格子４２Ａで回折されることなく直進し、立上ミラー３４によって上方へ反射されて対物レンズユニット２８のＢＤ用対物レンズ２８Ａに入射する。
【００３５】
ＢＤ用対物レンズ２８Ａは、ブルーレイディスクに適応した焦点距離及び開口数を有しており、入射した光ビームを集光してブルーレイディスクでなる光ディスク１００の記録面に合焦させるとともに、当該記録面で反射された反射光ビームを受光し、立上ミラー３４を介して光路切替素子４０に再入射させる。
【００３６】
光路切替素子４０のアクティブ回折素子４２は、その液晶分子配列が図５（Ａ）に示した非回折状態にあることから反射光ビームを透過し、１／４波長板３３に入射する。１／４波長板３３は、光路切替素子４０からの反射光ビームを円偏光から往路とは直交する直線偏光へと変換し、ビームスプリッタ３１に入射する。ビームスプリッタ３１の偏光反射面３１は、反射光ビームをその偏光方向に応じて透過して光検出器３５に照射する。そして光検出器３５は、ブルーレイディスクからの反射光ビームの光量に応じて再生信号やエラー信号等の各種検出信号を生成し、光ディスク装置２０の信号処理部２３（図２）に出力する。
【００３７】
これに対して、装着された光ディスク１００がＨＤ−ＤＶＤである場合、制御部２１は、２枚のアクティブ回折素子４２の液晶分子配列が図５（Ｂ）に示した状態になるよう制御する。この状態においては、上述したようにあらゆる偏光方向の入射光に対して回折格子４２Ａが作用し、これによりレーザダイオードからの光ビームは当該回折格子４２Ａで回折されて、光路切替素子４０の下面に設けられた反射型回折素子４３に入射する。
【００３８】
反射型回折素子４３は、アクティブ回折素子４２で回折された光ビームをさらに回折してその光路を上方へと曲げ、対物レンズユニット２８のＨＤ−ＤＶＤ用対物レンズ２８Ｂに入射する。
【００３９】
ＨＤ−ＤＶＤ用対物レンズ２８Ｂは、ＨＤ−ＤＶＤに適応した焦点距離及び開口数を有しており、入射した光ビームを集光してＨＤ−ＤＶＤでなる光ディスク１００の記録面に合焦させるとともに、当該記録面で反射された反射光ビームを受光し、立上ミラー３４を介して光路切替素子４０に再入射させる。
【００４０】
光路切替素子４０の反射型回折素子４３は、ＨＤ−ＤＶＤ用対物レンズ２８Ｂからの反射光ビームを回折してアクティブ回折素子４２に入射させる。アクティブ回折素子４２は、その液晶分子配列が図５（Ｂ）に示した回折状態にあることから反射光ビームを回折し、１／４波長板３３に入射する。１／４波長板３３は、光路分離素子４０からの反射光ビームを円偏光から往路とは直交する直線偏光へと変換し、ビームスプリッタ３１に入射する。ビームスプリッタ３１の偏光反射面３１は、反射光ビームをその偏光方向に応じて透過して光検出器３５に照射する。そして光検出器３５は、ＨＤ−ＤＶＤからの反射光ビームの光量に応じて再生信号やエラー信号等の各種検出信号を生成し、光ディスク装置２０の信号処理部２３（図２）に出力する。
【００４１】
（３）動作及び効果
以上の構成において光ディスク装置２０は、装着された光ディスク１００の種別に応じて、光路切替素子４０に設けられたアクティブ回折素子４２の液晶分子配列を制御して、当該アクティブ回折素子４２を非回折状態又は回折状態とすることにより、光ディスク１００への光ビーム及び当該光ディスク１００からの反射光ビームの光路を、当該装着された光ディスク１００の種別に応じたＢＤ用対物レンズ２８Ａ側又はＨＤ−ＤＶＤ用対物レンズ２８Ｂ側に切り替える。
【００４２】
ここで、上述したように光路切替素子４０は、そのアクティブ回折素子４２を非回折状態又は回折状態にして光路の切り替えを行うことにより、同一波長の光ビームを、装着された光ディスク１００の種別に応じてＢＤ用対物レンズ２８Ａ又はＨＤ−ＤＶＤ用対物レンズ２８Ｂに導くことができる。
【００４３】
そしてこの光ディスク装置２０は、光路の切り替えに際してアクティブ回折素子４２による回折現象を用いていることにより、出射光及び反射光を分離するための１／４波長板３３以外の波長板が不要となり、これにより光ピックアップ２６及び光ディスク装置２０の簡素化及び小型化を実現できる。
【００４４】
以上の構成によれば、光路切替素子４０のアクティブ回折素子４２を非回折状態又は回折状態に切り替えることにより、同一波長の光ビームを光ディスク１００の種別に応じてＢＤ用対物レンズ２８Ａ又はＨＤ−ＤＶＤ用対物レンズ２８Ｂに選択的に導くことができ、かくして、簡易な構成で、同一波長の光ビームを用いる複数種類の光ディスクに対応した光ピックアップ及び光ディスクドライブを実現することができる。
【００４５】
（４）他の実施の形態
なお上述の実施の形態においては、装着された光ディスク１００がブルーレイディスクである場合は、アクティブ回折素子４２を非回折状態にして光ビームをＢＤ用対物レンズ２８Ａに導くとともに、装着された光ディスク１００がＨＤ−ＤＶＤである場合は、アクティブ回折素子４２を回折状態にして光ビームをＨＤ−ＤＶＤ用対物レンズ２８Ｂに導くようにしたが、本発明はこれに限らず、装着された光ディスク１００がブルーレイディスクである場合はアクティブ回折素子４２を回折状態にして光ビームをＢＤ用対物レンズ２８Ａに導くとともに、装着された光ディスク１００がＨＤ−ＤＶＤである場合は、アクティブ回折素子４２を非回折状態にして光ビームをＨＤ−ＤＶＤ用対物レンズ２８Ｂに導くようにしてもよい。
【００４６】
また上述の実施の形態においては、回折状態にあるアクティブ回折素子４２で回折された光ビームを更に反射型回折素子４３で回折させることにより、当該光ビームの光路を９０°曲げてＨＤ−ＤＶＤ用対物レンズ２８Ｂに導くようにしたが、本発明はこれに限らず、アクティブ回折素子４２で回折された光ビームを反射してＨＤ−ＤＶＤ用対物レンズ２８Ｂに導くようにしてもよい。
【００４７】
図３との対応部分に同一符号を付して示す図６は、このような構成による光ピックアップ５０を示し、光路切替素子５１の構成が異なる以外は、図３に示した光ピックアップ２
６と同様である。光路切替素子５１のプリズム５２は、光路切替素子４０（図３）と同様に光ビームの入射面側にアクティブ回折素子４２が２枚重ねられた状態で貼り付けられているが、これと隣接する底面は、当該アクティブ回折素子４２に向かって傾斜した導光手段としての反射面５３を形成している。
【００４８】
アクティブ回折素子４２が回折状態にある場合、当該アクティブ回折素子４２で回折された光ビームは反射面５３で反射され、かくして光路切替素子５１は光ビームの光路を９０°曲げてＨＤ−ＤＶＤ用対物レンズ２８Ｂに導く。また光路切替素子５１は、ＨＤ−ＤＶＤ用対物レンズ２８Ｂからの反射光ビームを反射面５３で反射してアクティブ回折素子４２に導き、さらに当該アクティブ回折素子４２で回折することで当該反射光ビームの光路を９０°曲げて光検出器３５へと導く。このような構成でも、上述した光ピックアップ２６と同様な効果を得ることができる。
【００４９】
さらには、図７に示す光ピックアップ５５の光路切替素子５６のように、直方体状のプリズム５７における光ビームの入射面にアクティブ回折素子４２を２枚重ねた状態で設けるとともに、当該プリズム５７の出射面における、アクティブ回折素子４２による光ビームの回折方向に導光手段としての透過型回折素子５８を設け、回折状態にあるアクティブ回折素子４２で回折された光ビームを、更に透過型回折素子５８で回折することにより、光路切替素子５６に入射した光ビームを横方向にシフトしてＨＤ−ＤＶＤ用対物レンズ２８Ｂに導くようにしてもよい。
【００５０】
また上述の実施の形態においては、アクティブ回折素子４２としてブレーズ形状の回折格子４２Ａを用いる場合について述べたが、本発明はこれに限らず、複数段の階段状でなる回折格子を用いてもよく、さらには、高い光ビームの利用効率を求められない再生専用の光ディスク装置などでは、バイナリ型の回折格子を用いることもできる。
【００５１】
さらに上述の実施の形態においては、同一波長のレーザ光を用いるブルーレイディスク及びＨＤ−ＤＶＤの２方式に対応した光ディスク装置２０に本発明を適用した場合について述べたが、本発明はこれに限らず、この他種々の同一波長のレーザ光を用いる複数種類の光ディスクに対応した光ディスク装置や、さらには、それぞれ異なる波長のレーザ光を用いる複数種類の光ディスクに対応した光ディスク装置にも本発明を適用することができる。
【産業上の利用可能性】
【００５２】
本発明は、複数種類の光ディスクに対応した光ディスク装置に適用できる。
【図面の簡単な説明】
【００５３】
【図１】従来の光ピックアップの構成を示す略線図である。
【図２】光ディスク装置の全体構成を示すブロック図である。
【図３】本発明による光ピックアップの構成を示す略線図である。
【図４】アクティブ回折素子の説明に供する略線図である。
【図５】アクティブ回折素子の説明に供する略線図である。
【図６】他の実施の形態の光ピックアップの構成を示す略線図である。
【図７】他の実施の形態の光ピックアップの構成を示す略線図である。
【符号の説明】
【００５４】
１、２０……光ディスク装置、７、２６、５０、５５……光ピックアップ、２１……制御部、２２……駆動部、２３……信号処理部、２４……スピンドルモータ、２５……スレッドモータ、２７……２軸アクチュエータ、２８……対物レンズユニット、２８Ａ……ＢＤ用対物レンズ、２８Ｂ……ＨＤ−ＤＶＤ用対物レンズ、３０……レーザダイオード、３１……ビームスプリッタ、３２……コリメータレンズ、３３……１／４波長板３３、３４……立上ミラー３４、４０、５１、５６……光路切替素子、４１、５２、５７……プリズム、４２……アクティブ回折素子、４３……反射型回折素子、５３……反射面、５８……透過型回折素子、１００……光ディスク。
【図１】
2008090979.tif 000003
【図２】
2008090979.tif 000004
【図３】
2008090979.tif 000005
【図４】
2008090979.tif 000006
【図５】
2008090979.tif 000007
【図６】
2008090979.tif 000008
【図７】
2008090979.tif 000009